(57)【要約】【課題】エラー情報を表示する表示手段の省電力化を図ることのできる処理装置を提供する。【解決手段】処理装置は、エラーに関するエラー情報を表示する表示手段と、エラー発生している旨を報知する報知手段と、前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する制御手段と、を備える。【選択図】図２
2010193077.tif 000002
【特許請求の範囲】
【請求項１】
エラーに関するエラー情報を表示する表示手段と、
エラー発生している旨を報知する報知手段と、
前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する制御手段と、
を有することを特徴とする処理装置。
【請求項２】
前記予め設定される事象は、
ユーザによる出力形態切り替えの指示が行われた場合、予め決められた基準時点から予め決められた時間を経過してもユーザによる出力形態切り替えの指示が行われなかった場合、自装置に発生したエラーの解除にかかわるユーザの操作が行われた場合のうちの何れかである、
ことを特徴とする請求項１記載の処理装置。
【請求項３】
前記制御手段は、
前記表示手段が前記エラー情報の表示を停止し、かつ前記報知手段が前記エラー発生している旨を報知している場合に、ユーザによる出力形態切り替えの指示が行われたときは、前記表示手段に対し前記エラー情報を表示させる制御を実施する、
ことを特徴とする請求項１または２記載の処理装置。
【請求項４】
通信回線を介して接続される他の処理装置との通信を行う通信手段、を更に有し、
前記制御手段は、
前記通信手段による通信により得られる前記他の処理装置に関する前記エラー情報を取得した場合、または自装置にエラーが発生した場合に、少なくとも前記表示手段に対し前記エラー情報を表示させる制御または前記報知手段に対し前記エラー発生している旨を報知させる制御を実施する、
ことを特徴とする請求項１〜３の何れか一項に記載の処理装置。
【請求項５】
前記制御手段は、
前記他の処理装置に関する前記エラー情報を取得した場合には、初期状態として少なくとも前記表示手段に対し前記エラー情報を表示させる制御を実施し、自装置にエラーが発生した場合は、初期状態として前記報知手段のみに対し前記エラー発生している旨を報知させる制御を実施する、
ことを特徴とする請求項４記載の処理装置。
【請求項６】
画像入力装置と画像出力装置とが通信回線を介して接続され、
前記画像入力装置および前記画像出力装置は、
前記通信回線に接続されている他の装置との通信を実施する通信手段と、
エラーに関するエラー情報を表示する表示手段と、
エラー発生している旨を報知する報知手段と、
前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する制御手段と、
を有する、ことを特徴とする画像形成システム。
【請求項７】
前記画像入力装置および前記画像出力装置のそれぞれの前記制御手段は、
前記通信手段による通信により得られる前記他の装置に関する前記エラー情報を取得した場合、または自装置にエラーが発生した場合に、少なくとも前記表示手段に対し前記エラー情報を表示させる制御または前記報知手段に対し前記エラー発生している旨を報知させる制御を実施するとともに、
前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する、
ことを特徴とする請求項６記載の画像形成システム。
【請求項８】
前記画像入力装置および前記画像出力装置のうち一方の装置にエラーが発生した場合、
一方の装置の前記制御手段は、初期状態として前記報知手段に対し前記エラーが発生している旨を報知させる制御を実施し、
他方の装置の前記制御手段は、初期状態として前記表示手段に対し前記通信手段を介して取得した前記一方の装置に関する前記エラー情報を表示させる制御を実施する、
ことを特徴とする請求項７記載の画像形成システム。
【請求項９】
少なくとも表示手段に対しエラーに関するエラー情報を表示させる制御または報知手段に対しエラー発生している旨を報知させる制御を実施する表示制御処理過程と、
前記表示手段によって前記エラー情報が表示されている場合に、予め設定される事象が発生したことを条件に、前記表示手段に対し前記エラー情報の表示を停止させるとともに前記報知手段に対し前記エラー発生している旨を報知させる制御を実施する切替制御処理過程と、
をコンピュータに実行させることを特徴とする処理プログラム。
【発明の詳細な説明】
【技術分野】
【０００１】
本発明は、処理装置、画像形成システム、処理プログラムに関するものである。
【背景技術】
【０００２】
従来、画像形成装置として、例えば，原稿画像を光学的に読み取る画像読取ユニットと、記録紙に画像を形成する画像形成ユニットとを別体の筐体で作製し、これら二つの筐体の何れか一方に操作表示部を搭載した画像形成装置が提案されている（例えば特許文献１参照。）。
【０００３】
この特許文献１では、画像読取ユニットと画像形成ユニットのうち何れか一方のユニット例えば画像形成ユニットは、紙ジャムなどユーザによる操作が必要な状態が検知された場に、表示部への電力供給をオンし、表示部に当該状態に対する操作を操作者に指示するためのガイダンスを表示するとともに、表示部での当該ガイダンスの表示が終了した場合に、表示部への電力供給をオフする。
【先行技術文献】
【特許文献】
【０００４】
【特許文献１】特開２００５−３１８２０６号公報
【発明の概要】
【発明が解決しようとする課題】
【０００５】
本発明は、エラー情報を表示する表示手段の省電力化を図ることのできる処理装置、画像形成システム、処理プログラムを提供することを目的とする。
【課題を解決するための手段】
【０００６】
上記課題を解決するため、請求項１に記載の本発明の処理装置は、エラーに関するエラー情報を表示する表示手段と、エラー発生している旨を報知する報知手段と、前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する制御手段と、を有することを特徴とする。
【０００７】
請求項２に記載の発明は、上記請求項１に記載の発明において、前記予め設定される事象は、ユーザによる出力形態切り替えの指示が行われた場合、予め決められた基準時点から予め決められた時間を経過してもユーザによる出力形態切り替えの指示が行われなかった場合、自装置に発生したエラーの解除にかかわるユーザの操作が行われた場合のうちの何れかである、ことを特徴とする。
【０００８】
請求項３に記載の発明は、上記請求項１または２に記載の発明において、前記制御手段は、前記表示手段が前記エラー情報の表示を停止し、かつ前記報知手段が前記エラー発生している旨を報知している場合に、ユーザによる出力形態切り替えの指示が行われたときは、前記表示手段に対し前記エラー情報を表示させる制御を実施する、ことを特徴とする。
【０００９】
請求項４に記載の発明は、上記請求項１〜３の何れか一項に記載の発明において、通信回線を介して接続される他の処理装置との通信を行う通信手段、を更に有し、前記制御手段は、前記通信手段による通信により得られる前記他の処理装置に関する前記エラー情報を取得した場合、または自装置にエラーが発生した場合に、少なくとも前記表示手段に対し前記エラー情報を表示させる制御または前記報知手段に対し前記エラー発生している旨を報知させる制御を実施する、ことを特徴とする。
【００１０】
請求項５に記載の発明は、上記請求項４に記載の発明において、前記制御手段は、前記他の処理装置に関する前記エラー情報を取得した場合には、初期状態として少なくとも前記表示手段に対し前記エラー情報を表示させる制御を実施し、自装置にエラーが発生した場合は、初期状態として前記報知手段のみに対し前記エラー発生している旨を報知させる制御を実施する、ことを特徴とする。
【００１１】
上記課題を解決するため、請求項６に記載の本発明の画像形成システムは、画像入力装置と画像出力装置とが通信回線を介して接続され、前記画像入力装置および前記画像出力装置は、前記通信回線に接続されている他の装置との通信を実施する通信手段と、エラーに関するエラー情報を表示する表示手段と、エラー発生している旨を報知する報知手段と、前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する制御手段と、を有する、ことを特徴とする。
【００１２】
請求項７に記載の発明は、上記請求項６に記載の発明において、前記画像入力装置および前記画像出力装置のそれぞれの前記制御手段は、前記通信手段による通信により得られる前記他の装置に関する前記エラー情報を取得した場合、または自装置にエラーが発生した場合に、少なくとも前記表示手段に対し前記エラー情報を表示させる制御または前記報知手段に対し前記エラー発生している旨を報知させる制御を実施するとともに、前記表示手段が前記エラー情報を表示している場合に、予め設定される事象が発生したときは、前記表示手段に対し前記エラー情報の表示を停止させるとともに前記報知手段に対し前記エラー発生している旨を報知させる制御を実施する、ことを特徴とする。
【００１３】
請求項８に記載の発明は、上記請求項７に記載の発明において、前記画像入力装置および前記画像出力装置のうち一方の装置にエラーが発生した場合、一方の装置の前記制御手段は、初期状態として前記報知手段に対し前記エラーが発生している旨を報知させる制御を実施し、他方の装置の前記制御手段は、初期状態として前記表示手段に対し前記通信手段を介して取得した前記一方の装置に関する前記エラー情報を表示させる制御を実施する、ことを特徴とする。
【００１４】
上記課題を解決するため、請求項９に記載の本発明の処理プログラムは、少なくとも表示手段に対しエラーに関するエラー情報を表示させる制御または報知手段に対しエラー発生している旨を報知させる制御を実施する表示制御処理過程と、前記表示手段によって前記エラー情報が表示されている場合に、予め設定される事象が発生したことを条件に、前記表示手段に対し前記エラー情報の表示を停止させるとともに前記報知手段に対し前記エラー発生している旨を報知させる制御を実施する切替制御処理過程と、をコンピュータに実行させることを特徴とする。
【発明の効果】
【００１５】
請求項１記載の発明によれば、エラー情報を表示する表示手段の省電力化を図ることができる。
【００１６】
請求項２記載の発明によれば、予め設定される事象が発生したときに、表示手段でのエラー情報の表示を停止させることができる。
【００１７】
請求項３記載の発明によれば、エラー情報の表示が停止されている表示手段に対し、再度当該エラー情報を表示させることができる。
【００１８】
請求項４記載の発明によれば、複数の処理装置が通信回線を介して接続されている場合に、ユーザは、何れかの処理装置でエラーが発生したことを、何れかの処理装置で認識することができる。
【００１９】
請求項５記載の発明によれば、複数の処理装置が通信回線を介して接続されている場合に、ユーザは、自己に近接する処理装置とは異なる処理装置で発生したエラーに関するエラー情報を、当該自己に近接する処理装置で認識することができる。
【００２０】
請求項６記載の発明によれば、エラー情報を表示する表示手段の省電力化を図ることができる。
【００２１】
請求項７記載の発明によれば、画像入力装置と画像出力装置とが通信回線を介して接続されている場合に、ユーザは、何れかの装置でエラーが発生したことを、何れかの装置で認識することができる。
【００２２】
請求項８記載の発明によれば、画像入力装置と画像出力装置とが通信回線を介して接続されている場合に、ユーザは、自己に近接する装置とは異なる装置で発生したエラーに関するエラー情報を、当該自己に近接する装置で認識することができる。
【００２３】
請求項９記載の発明によれば、エラー情報を表示する表示手段の省電力化が図られるソフトウェアを提供することができる。
【図面の簡単な説明】
【００２４】
【図１】第１の実施の形態に係る画像形成システムの構成を示す構成図である。
【図２】第１の実施の形態に係る画像入力装置の機能構成を示すブロック図である。
【図３】第１の実施の形態に係る画像入力装置の操作／表示部の外観を示す図である。
【図４】第１の実施の形態に係る画像出力装置の機能構成を示すブロック図である。
【図５】第１の実施の形態に係る画像出力装置の操作／表示部の外観を示す図である。
【図６】第１の実施の形態に係る画像入力装置および画像出力装置の各操作／表示部での初期状態のエラー表示態様を説明する図である。
【図７】第１の実施の形態に係る画像入力装置および画像出力装置の各操作／表示部でのエラー表示態様の遷移を説明する図である。
【図８】第１の実施の形態に係るＬＥＤ表示切り替え時間を説明する図である。
【図９】第１の実施の形態に係る画像形成システムのエラー表示処理の処理手順を示すフローチャートである。
【図１０】第１の実施の形態に係る画像入力装置（エラー情報を取得した装置）のエラー表示処理の処理手順を示すフローチャートである。
【図１１】第１の実施の形態に係る画像出力装置（エラー発生した装置）のエラー表示処理の処理手順を示すフローチャートである。
【図１２】第１の実施の形態に係る画像形成システムのエラー表示処理の処理過程を説明する図であって、画像入力装置および画像出力装置の各操作／表示部でのエラー表示態様の遷移を説明する図である。
【図１３】第１の実施の形態に係る画像入力装置のハードウェア構成を示す構成図である。
【図１４】第１の実施の形態に係る画像出力装置のハードウェア構成を示す構成図である。
【図１５】第２の実施の形態に係る画像入力装置および画像出力装置の各操作／表示部での初期状態のエラー表示態様を説明する図である。
【図１６】第２の実施の形態に係る画像入力装置および画像出力装置の各操作／表示部でのエラー表示態様の遷移を説明する図である。
【図１７】第２の実施の形態に係る画像出力装置（エラー情報を取得した装置）のエラー表示処理の処理手順を示すフローチャートである。
【図１８】第２の実施の形態に係る画像入力装置（エラー発生した装置）のエラー表示処理の処理手順を示すフローチャートである。
【発明を実施するための形態】
【００２５】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２６】
（第１の実施の形態）
【００２７】
第１の実施の形態に係る画像形成システムについて、図１を参照して説明する。
【００２８】
画像形成システム１では、図１に示すように、画像入力装置１００と画像出力装置２００とが通信回線３００を介して接続されている。
【００２９】
画像入力装置１００は例えばスキャナであり、画像出力装置２００は例えば画像形成装置としてのプリンタである。
【００３０】
通信回線３００としては、ローカルエリアネットワーク（ＬＡＮ＝Ｌｏｃａｌ  Ａｒｅａ  Ｎｅｔｗｏｒｋ）や電話回線などの有線通信回線、無線ＬＡＮなどの無線通信回線、さらには、これらの通信回線を組み合わせたもの、などが挙げられる。この第１の実施の形態では通信回線３００としてネットワークを採用し、通信回線３００をネットワーク３００と定義する。
【００３１】
画像形成システム１では、画像出力装置２００において、記録用紙等のジャム（紙ジャム）などのユーザ操作が必要になる不具合状態（以下「ＯＰＣ（Ｏｐｅｒａｔｏｒ  Ｃａｌｌ）エラー」という。）が発生した場合には、画像出力装置２００は、そのＯＰＣエラー情報を画像入力装置１００に向けて通知する。また、画像入力装置１００において、ＡＤＦジャム（自動原稿送り装置での原稿ジャム）などのＯＰＣエラーが発生した場合は、画像入力装置１００は、そのＯＰＣエラー情報を画像出力装置２００に向けて通知する。
【００３２】
画像入力装置１００および画像出力装置２００のそれぞれは、自装置でＯＰＣエラーが発生した場合または他の装置からＯＰＣエラー情報を取得した場合は、少なくともエラー情報（ＯＰＣエラー情報）の表示またはエラー発生している旨の報知を実施する。勿論、エラー情報の表示およびエラー発生している旨の報知の両方を実施するようにしてもよい。
【００３３】
なお、エラー情報の表示やエラー発生している旨の報知の詳細については後述することとする。
【００３４】
処理装置としての画像入力装置１００は、図２に示すように、通信部１１０、制御部１２０、画像読取部１３０、画像解析部１４０、記憶部１５０、および操作／表示部１６０を有している。
【００３５】
通信部１１０は、通信手段の機能を有し、ネットワーク３００に接続され、該ネットワーク３００に接続された画像出力装置２００とのデータの送受信を行う。
【００３６】
画像読取部１３０は、原稿を光学的に読み取り画像データに変換する。この画像データは制御部１２０を経由して画像解析部１４０に与えられる。
【００３７】
画像解析部１４０は、制御部１２０から与えられる画像データを解析し、この解析した結果を制御部１２０へ出力する。
【００３８】
制御部１２０は、画像読取部１３０によって変換された画像データを取得して画像解析部１４０へ出力するとともに、画像解析部１４０によって解析された解析結果を取得し、この解析結果を基に、操作／表示部１６０に対しメッセージの表示の制御や入力要求などを行う。
【００３９】
また、制御部１２０は、制御手段の機能を有し、詳細については後述するが、当該画像入力装置１００で発生したエラー（ＯＰＣエラー）または画像出力装置２００で発生したエラー（ＯＰＣエラー）に関するエラー情報を取得した場合に、エラー情報の表示およびエラー発生している旨の報知に関する制御を実施する。
【００４０】
記憶部１５０は、通信部１１０によって受信されたデータなどの受信データ、後述するＬＥＤ表示切り替え時間情報を記憶する。
【００４１】
操作／表示部１６０は、表示部１６１、報知部１６２、および操作部１６３を有しており、当該画像入力装置１００の状態やエラーメッセージなど表示情報を表示するとともに、ユーザにより入力された入力情報や指示情報を制御部１２０へ出力する。操作／表示部１６０の外観の一例を図３に示す。
【００４２】
図３に示す操作／表示部１６０において、表示部１６１は、表示手段の機能を有し、例えば液晶ディスプレイ（ＬＣＤ）で構成され、エラーに関するエラー情報（ＯＰＣエラー情報）を表示する。
【００４３】
報知部１６２は、報知手段の機能を有し、例えば発光ダイオード（ＬＥＤ）で構成され、エラー発生の有無を示す旨に応じて点灯または消灯の状態となり、エラー発生している場合は点灯してエラー発生している旨を報知（表示）する。報知部１６２の構成要素である発光ダイオード（ＬＥＤ）は、表示部１６１の構成要素である液晶ディスプレイ（ＬＣＤ）よりも消費電力が低いものになっている。
【００４４】
第１の実施の形態では、画像入力装置１００においてエラーが発生した場合、または画像出力装置２００においてエラーが発生し、通信部１１０によって当該エラーに関するエラー情報が受信された場合に、エラー情報の表示およびエラー発生している旨の報知の少なくとも一方の出力形態で出力されるようになっている。
【００４５】
操作部１６３は、０〜９までの数字（テンキーに対応する数字）０およびアルファベット（Ａ〜Ｚ）に対応するボタンを備える操作部１６３Ａと、表示部１６１に表示されたメニューなどの項目（選択肢）を選択するためのカーソルを上下方向および左右方向に移動させるボタン（ボタン＃１０）、およびコピー開始（スキャン開始）、操作内容や処理の中断または停止などを指示するためのボタン（ボタン＃２０）を備える操作部１６３Ｂとを有する。これら操作部１６３Ａおよび操作部１６３Ｂで押下（操作）されたボタンに対応する信号（データ）は制御部１２０に与えられる。
【００４６】
次に、制御部１２０のエラー情報の表示およびエラー発生している旨の報知に関する制御について説明する。制御部１２０は、次の（１２０−１）〜（１２０−４）の処理を実施する。
【００４７】
（１２０−１）制御部１２０は、表示部１６１がエラー情報を表示している場合に、予め設定される事象が発生したときは、表示部１６１に対しエラー情報の表示を停止させるとともに報知部１６２に対しエラー発生している旨を報知させる制御を実施する。
【００４８】
ここで、予め設定される事象とは、（ａ）ユーザによる出力形態切り替えの指示が行われた場合、（ｂ）予め決められた基準時点から予め決められた時間を経過してもユーザによる出力形態切り替えの指示が行われなかった場合、（ｃ）自装置に発生したエラーの解除にかかわるユーザの操作が行われた場合のうちの何れかである。
【００４９】
ここで、出力形態切り替え指示とは、表示部１６１によるエラー情報の表示と、報知部１６２によるエラー発生している旨の報知との切り替えの指示のことである。この第１の実施の形態では、エラーが発生している場合には報知部１６２によるエラー発生している旨の報知を常時行うようにしているので、出力形態切り替え指示は、表示部１６１によるエラー情報の表示をオンするかオフするかの指示を意味することになる。
【００５０】
また、基準時点とはエラーが発生した時点またはエラー情報を取得した時点のことである。予め決められた時間とは後述するＬＥＤ表示切り替え時間のことである。
【００５１】
さらに、エラー解除にかかわるユーザの操作とは、例えばＡＤＦ（自動原稿送り装置）に発生したＡＤＦジャムでの原稿を除去するために、当該ＡＤＦのカバーをオープン（カバーオープン）することである。
【００５２】
（１２０−２）制御部１２０は、表示部１６１がエラー情報の表示を停止し、かつ報知部１６２がエラー発生している旨を報知している場合に、ユーザによる出力形態切り替えの指示が行われたときは、表示部１６１に対しエラー情報を表示させる制御を実施する。
【００５３】
（１２０−３）制御部１２０は、通信部１１０による通信により得られる他の処理装置としての画像出力装置２００に関するエラー情報を取得した場合、または当該画像入力装置１００にエラーが発生した場合に、少なくとも表示部１６１に対しエラー情報を表示させる制御または報知部１６２に対しエラー発生している旨を報知させる制御を実施する。
【００５４】
（１２０−４）制御部１２０は、他の処理装置としての画像出力装置２００に関するエラー情報を取得した場合には、初期状態として少なくとも表示部１６１に対しエラー情報を表示させる制御を実施し、当該画像入力装置１００にエラーが発生した場合は、初期状態として報知部１６２のみに対しエラー発生している旨を報知させる制御を実施する。
【００５５】
処理装置としての画像出力装置２００は、図４に示すように、通信部２１０、制御部２２０、記憶部２３０、画像処理部２４０、印刷処理部２５０、および操作／表示部２６０を有している。
【００５６】
通信部２１０は、通信手段の機能を有し、ネットワーク３００に接続され、該ネットワーク３００に接続された画像入力装置１００とのデータの送受信を行う。このデータは、制御部２２０に与えられる。
【００５７】
制御部２２０は、取得したデータに関し画像入力装置１００による印刷指示がある場合には当該データ（印刷データ）を画像処理部２４０へ出力し、取得したデータに関し画像入力装置１００による蓄積指示がある場合は当該データ（印刷データ）を記憶部２３０に格納する。記憶部２３０に格納された印刷データについては、ユーザによって操作／表示部２６０が操作されたことに起因して印刷指示が制御部２２０に与えられた場合に、制御部２２０によって読み出され、画像処理部２４０へ出力される。
【００５８】
また、制御部２２０は、制御手段の機能を有し、詳細については後述するが、当該画像出力装置２００で発生したエラー（ＯＰＣエラー）または画像入力装置１００で発生したエラー（ＯＰＣエラー）に関するエラー情報を取得した場合に、エラー情報の表示およびエラー発生している旨の報知に関する制御を実施する。
【００５９】
記憶部２３０は、通信部２１０によって受信された印刷データなどの受信データ、後述するＬＥＤ表示切り替え時間情報を記憶する。
【００６０】
画像処理部２４０は、制御部２２０から与えられる印刷データを基にページ単位の画像データ（ラスタデータ）を生成する。
【００６１】
印刷処理部２５０は、例えば電子写真プロセスを実行するものであり、画像処理部２４０によって生成されたページ単位の画像データを基に、画像を記録用紙に画像形成（印刷）する。
【００６２】
操作／表示部２６０は、表示部２６１、報知部２６２、および操作部２６３を有しており、当該画像出力装置２００の状態、画像形成（印刷）中のメッセージやエラーメッセージなど表示情報を表示するとともに、ユーザによって入力された入力情報や指示情報を制御部２２０へ出力する。操作／表示部２６００の外観の一例を図５に示す。
【００６３】
図５に示す操作／表示部２６０において、表示部２６１は、表示手段の機能を有し、例えば液晶ディスプレイ（ＬＣＤ）で構成され、エラーに関するエラー情報（ＯＰＣエラー情報）を表示する。
【００６４】
報知部２６２は、報知手段の機能を有し、例えば発光ダイオード（ＬＥＤ）で構成され、エラー発生の有無を示す旨に応じて点灯または消灯の状態となり、エラー発生している場合は点灯してエラー発生している旨を報知（表示）する。報知部２６２の構成要素である発光ダイオード（ＬＥＤ）は、表示部２６１の構成要素である液晶ディスプレイ（ＬＣＤ）よりも消費電力が低いものになっている。
【００６５】
第１の実施の形態では、画像出力装置２００においてエラーが発生した場合、または画像入力装置１００においてエラーが発生し、通信部２１０によって当該エラーに関するエラー情報が受信された場合に、エラー情報の表示およびエラー発生している旨の報知の少なくとも一方の出力形態で出力されるようになっている。
【００６６】
操作部２６３は、表示部２６１に表示されたメニューなどの項目（選択肢）を選択するためのカーソルを上下方向および左右方向に移動させるボタン（ボタン＃３０）と、コピー開始、操作内容や処理の中断または停止などを指示するためのボタン（ボタン＃４０）とを有する。操作部２６３で押下（操作）されたボタンに対応する信号（データ）は制御部２２０に与えられる。
【００６７】
次に、制御部２２０のエラー情報の表示およびエラー発生している旨の報知に関する制御について説明する。制御部２２０は、次の（２２０−１）〜（２２０−４）の処理を実施する。
【００６８】
（２２０−１）制御部２２０は、表示部２６１がエラー情報を表示している場合に、予め設定される事象が発生したときは、表示部２６１に対しエラー情報の表示を停止させるとともに報知部２６２に対しエラー発生している旨を報知させる制御を実施する。
【００６９】
ここで、予め設定される事象は、画像入力装置１００で説明した事象と同じである。なお、画像出力装置２００において、エラー解除にかかわるユーザの操作とは、例えば、印刷処理部２５０に対応して設けられるカバーをオープン（カバーオープン）する、あるいは画像形成結果（印刷結果）として排出される印刷物（画像が形成された記録用紙）を収容する用紙収容部（トレイ）をオープン（トレイオープン）することである。
印さＡＤＦ（自動原稿送り装置）に発生したＡＤＦジャムでの原稿を除去するために、当該ＡＤＦのカバーをオープンすることである。
【００７０】
（２２０−２）制御部２２０は、表示部２６１がエラー情報の表示を停止し、かつ報知部２６２がエラー発生している旨を報知している場合に、ユーザによる出力形態切り替えの指示が行われたときは、表示部２６１に対しエラー情報を表示させる制御を実施する。
【００７１】
（２２０−３）制御部２２０は、通信部２１０による通信により得られる他の処理装置としての画像入力装置１００に関するエラー情報を取得した場合、または当該画像出力装置２００にエラーが発生した場合に、少なくとも表示部２６１に対しエラー情報を表示させる制御または報知部２６２に対しエラー発生している旨を報知させる制御を実施する。
【００７２】
（２２０−４）制御部２２０は、他の処理装置としての画像入力装置１００に関するエラー情報を取得した場合には、初期状態として少なくとも表示部２６１に対しエラー情報を表示させる制御を実施し、当該画像出力装置２００にエラーが発生した場合は、初期状態として報知部２６２のみに対しエラー発生している旨を報知させる制御を実施する。
【００７３】
ここで、上述したエラー情報はガイダンスを意味するので、「エラー情報の表示」を「ガイダンス表示」と定義する。また、上述したエラー発生している旨は報知部が点灯（ＬＥＤが点灯）することで表現されるので、「エラー発生している旨の報知」を「ＬＥＤ表示」と定義する。
【００７４】
第１の実施の形態では、画像形成システム１において、画像出力装置２００にＯＰＣエラー（紙ジャム）が発生した場合、ＯＰＣエラー発生直後のエラー表示方法としては、次の（１）〜（４）の表示方法が挙げられる。
【００７５】
（１）図６（ａ）に示すように、画像入力装置１００の操作／表示部１６０および画像出力装置２００の操作／表示部２６０のそれぞれにおいて、ガイダンス表示およびＬＥＤ表示を行う。
【００７６】
すなわち、画像出力装置２００でＯＰＣエラーが発生した場合、画像出力装置２００では、制御部２２０は、表示部２６１に対しガイダンス表示を行わせるとともに報知部２６２に対しＬＥＤ表示を行わせる。また、制御部２２０はＯＰＣエラー情報を通信部２１０を介して画像入力装置１００に向けて送信する。画像入力装置１００では、制御部１２０は、通信部１１０を介してＯＰＣエラー情報を取得したことを受けて、表示部１６１に対しガイダンス表示を行わせるとともに報知部１６２に対しＬＥＤ表示を行わせる。
【００７７】
ここで、図６（ａ）において、報知部１６２がＬＥＤ表示している状態（ＬＥＤがＯＮの状態）を塗り潰し処理された四角形で示している。同様に、報知部２６２がＬＥＤ表示している状態（ＬＥＤがＯＮの状態）を塗り潰し処理された四角形で示している。この図６（ｂ）〜（ｄ）および他の図においても、報知部がＬＥＤ表示している状態を塗り潰し処理された四角形で示す。
【００７８】
なお、操作／表示部１６０および操作／表示部２６０においては、ガイダンス表示されているので、ＬＥＤ表示は行わないようにしてもよい。
【００７９】
（２）図６（ｂ）に示すように、画像入力装置１００の操作／表示部１６０および画像出力装置２００の操作／表示部２６０のそれぞれにおいて、ＬＥＤ表示のみを行う。
【００８０】
すなわち、画像出力装置２００でＯＰＣエラーが発生した場合、画像出力装置２００では、制御部２２０は、報知部２６２に対しＬＥＤ表示を行わせる。また、制御部２２０はＯＰＣエラー情報を通信部２１０を介して画像入力装置１００に向けて送信する。画像入力装置１００では、制御部１２０は、通信部１１０を介してＯＰＣエラー情報を取得したことを受けて、報知部１６２に対しＬＥＤ表示を行わせる。
【００８１】
（３）図６（ｃ）に示すように、ＯＰＣエラーが発生した方の装置例えば画像出力装置２００の操作／表示部２６０においてガイダンス表示およびＬＥＤ表示を行い、他方の装置例えば画像入力装置１００の操作／表示部１６０においてはＬＥＤ表示のみを行う。
【００８２】
すなわち、画像出力装置２００でＯＰＣエラーが発生した場合、画像出力装置２００では、制御部２２０は、表示部２６１に対しガイダンス表示を行わせるとともに報知部２６２に対しＬＥＤ表示を行わせる。また、制御部２２０はＯＰＣエラー情報を通信部２１０を介して画像入力装置１００に向けて送信する。画像入力装置１００では、制御部１２０は、通信部１１０を介してＯＰＣエラー情報を取得したことを受けて、報知部１６２に対しＬＥＤ表示を行わせる。
【００８３】
なお、操作／表示部２６０においては、ガイダンス表示されているので、ＬＥＤ表示は行わないようにしてもよい。
【００８４】
（４）図６（ｄ）に示すように、前回のＯＰＣエラー発生時において最後にガイダンス表示を行っていた装置例えば画像入力装置１００の操作／表示部１６０においてガイダンス表示およびＬＥＤ表示を行い、他方の装置例えば画像出力装置２００の操作／表示部２６０においてはＬＥＤ表示のみを行う。
【００８５】
すなわち、画像出力装置２００でＯＰＣエラーが発生した場合、画像出力装置２００では、制御部２２０は、前回のＯＰＣエラー発生時（画像入力装置１００および画像出力装置２００の何れでＯＰＣエラーが発生したかは問わない）において最後のエラー表示態様はＬＥＤ表示であるということを認識しているので、報知部２６２に対しＬＥＤ表示を行わせる。また、制御部２２０はＯＰＣエラー情報を通信部２１０を介して画像入力装置１００に向けて送信する。
【００８６】
画像入力装置１００では、制御部１２０は、通信部１１０を介してＯＰＣエラー情報を取得したことを受けて、前回のＯＰＣエラー発生時（画像入力装置１００および画像出力装置２００の何れでＯＰＣエラーが発生したかは問わない）において最後のエラー表示態様はガイダンス表示であるということを認識しているので、表示部１６１に対しガイダンス表示を行わせるとともに報知部１６２に対しＬＥＤ表示を行わせる。
【００８７】
なお、操作／表示部１６０においては、ガイダンス表示されているので、ＬＥＤ表示は行わないようにしてもよい。
【００８８】
上記（１）、（３）、（４）のエラー表示方法（図６（ａ），（ｃ），（ｄ）のエラー表示態様を参照）のうち何れかのエラー表示方法での初期状態のエラー表示態様において、ガイダンス表示を行っている操作／表示部では、「操作部の何れかのボタンが押下された場合」、「ＬＥＤ表示切り替え時間が経過した場合」、「ユーザ介入された場合」のうち何れかの事象が発生した場合は、図７（ａ）に示すように、ガイダンス表示を停止し、ＬＥＤ表示のみとする。
【００８９】
ここで、「操作部の何れかのボタンが押下された場合」は、上述した予め設定される事象の（ａ）ユーザによる出力形態切り替えの指示が行われた場合に相当する。
【００９０】
また、「ＬＥＤ表示切り替え時間が経過した場合」は、上述した予め設定される事象の（ｂ）予め決められた基準時点から予め決められた時間を経過してもユーザによる出力形態切り替えの指示が行われなかった場合に相当する。
【００９１】
さらに、「ユーザ介入された場合」は、上述した予め設定される事象の（ｃ）自装置に発生したエラーの解除にかかわるユーザの操作が行われた場合に相当する。
【００９２】
なお、上記ユーザ介入は、画像入力装置１００にかかわる上述したカバーオープンや、画像出力装置２００にかかわる上述したカバーオープンやトレイオープンなどのユーザによる操作を意味する。
【００９３】
また、上記ＬＥＤ表示切り替え時間は、ＯＰＣエラーが発生した場合に操作／表示部にて初期状態のエラー表示態様としてのガイダンス表示が行われている状態において、ＯＰＣエラーが発生してから操作／表示部の操作部のボタンが押下されるまでの時間に関して、過去のＯＰＣエラー発生ごとの当該時間の合計の平均値（平均時間）である。
【００９４】
例えば、画像入力装置１００および画像出力装置２００の何れかの装置において発生したＯＰＣエラーの合計がＮ回であるとする。この場合、画像入力装置１００の制御部１２０は、図８（ａ）に示すように、ＯＰＣエラー発生毎に、操作／表示部１６０の表示部１６１にて初期状態のエラー表示態様としてのガイダンス表示が行われている状態において、当該制御部１２０に設けられる図示しないタイマを用いて、ＯＰＣエラーが発生してから操作／表示部１６０の操作部１６３の何れかのボタンが押下されるまでの時間を求める。次に、制御部１２０は、求めたＮ回分の時間の平均値を求め、この平均時間をＬＥＤ表示切り替え時間とする。このＬＥＤ表示切り替え時間情報は記憶部１５０に記憶される。
【００９５】
実際には、制御部１２０は、今回発生したＯＰＣエラーに関してのＯＰＣエラーが発生してから操作／表示部１６０の操作部１６３の何れかのボタンが押下されるまでの時間を求め、この求めた時間と記憶部１５０に記憶されているＬＥＤ表示切り替え時間情報との合計の平均値を求め、この平均値（平均時間）を新たなＬＥＤ表示切り替え時間とする。
【００９６】
同様に、画像出力装置２００の制御部２２０は、図８（ｂ）に示すように、操作／表示部２６０の表示部２６１にて初期状態のエラー表示態様としてのガイダンス表示が行われている状態において、当該制御部２２０に設けられる図示しないタイマを用いて、ＯＰＣエラーが発生してから操作／表示部２６０の操作部２６３の何れかのボタンが押下されるまでの時間を求める。次に、制御部２２０は、求めたＮ回分の時間の平均値を求め、この平均時間をＬＥＤ表示切り替え時間とする。このＬＥＤ表示切り替え時間情報は記憶部２３０に記憶される。
【００９７】
実際には、制御部２２０は、今回発生したＯＰＣエラーに関してのＯＰＣエラーが発生してから操作／表示部２６０の操作部２６３の何れかのボタンが押下されるまでの時間を求め、この求めた時間と記憶部２３０に記憶されているＬＥＤ表示切り替え時間情報との合計の平均値を求め、この平均値（平均時間）を新たなＬＥＤ表示切り替え時間とする。
【００９８】
次に、上述した図６（ａ），（ｃ），（ｄ）のエラー表示態様のうち何れかの初期状態のエラー表示態様から図７（ａ）のエラー表示態様に変更される場合の処理について具体的に説明する。
【００９９】
例えば、図６（ａ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１に対しガイダンス表示を停止させるべく、表示部１６１への電力供給を停止（オフ）するよう制御する。また、制御部１２０は、エラー表示状態が遷移した旨を、通信部１１０を介して画像出力装置２００に向けて送信する。
【０１００】
画像出力装置２００では、制御部２２０は、通信部２１０を介して画像入力装置１００からのエラー表示状態が遷移した旨を取得した場合に、操作／表示部２６０の表示部２６１にガイダンス表示を停止させるべく、表示部２６１への電力供給を停止させる制御を行う。
【０１０１】
これにより、図６（ａ）に示すエラー表示態様は、図７（ａ）に示すエラー表示態様に変更される。
【０１０２】
勿論、画像出力装置２００の操作／表示部２６０における操作部２６３の何れかのボタンが押下された場合においても、上記同様の処理が実施される。
【０１０３】
また、図６（ｃ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１に対しガイダンス表示を停止させるべく、表示部２６１への電力供給を停止させる制御を行う。また、制御部２２０は、エラー表示状態が遷移した旨を、通信部２１０を介して画像入力装置１００に向けて送信する。
【０１０４】
画像入力装置１００では、制御部１２０は、通信部１１０を介して画像出力装置２００からのエラー表示状態が遷移した旨を取得した場合であっても、操作／表示部１６０の表示部１６１でのガイダンス表示は停止されているので（表示部１６１への電力供給が停止されているので）、何もしない。
【０１０５】
これにより、図６（ｃ）に示すエラー表示態様は、図７（ａ）に示すエラー表示態様に変更される。
【０１０６】
さらに、図６（ｄ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１に対しガイダンス表示を停止させるべく、表示部１６１への電力供給を停止させる制御を行う。また、制御部１２０は、エラー表示状態が遷移した旨を、通信部１１０を介して画像出力装置２００に向けて送信する。
【０１０７】
画像出力装置２００では、制御部２２０は、通信部２１０を介して画像入力装置１００からのエラー表示状態が遷移した旨を取得した場合であっても、操作／表示部２６０の表示部２６１でのガイダンス表示は停止されているので（表示部２６１への電力供給が停止されているので）、何もしない。
【０１０８】
これにより、図６（ｄ）に示すエラー表示態様は、図７（ａ）に示すエラー表示態様に変更される。
【０１０９】
次に、図７（ａ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１に対しガイダンス表示を行わせるべく、表示部１６１への電力供給が行われるよう制御する。また、制御部１２０は、エラー表示状態が遷移した旨を、通信部１１０を介して画像出力装置２００に向けて送信する。
【０１１０】
画像出力装置２００では、制御部２２０は、通信部２１０を介して画像入力装置１００からのエラー表示状態が遷移した旨を取得した場合であっても、操作／表示部２６０の表示部２６１でのガイダンス表示は停止されているので（表示部２６１への電力供給が停止されているので）、何もしない。
【０１１１】
これにより、図７（ａ）に示すエラー表示態様は、図７（ｂ）に示すエラー表示態様に変更される。
【０１１２】
なお、図６（ｂ）に示すエラー表示態様（初期状態のエラー表示態様）において、画像入力装置１００の操作／表示部１６０における操作部１６３の何れかのボタンが押下された場合も、上記同様の処理が行われることにより、図７（ｂ）に示すエラー表示態様に変更される。
【０１１３】
続いて、図７（ｂ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１に対しガイダンス表示を行わせるべく、表示部２６１への電力供給が行われるよう制御する。また、制御部２２０は、エラー表示状態が遷移した旨を、通信部２１０を介して画像入力装置１００に向けて送信する。
【０１１４】
画像入力装置１００では、制御部１２０は、通信部１１０を介して画像出力装置２００からのエラー表示状態が遷移した旨を取得した場合に、操作／表示部１６０の表示部１６１でのガイダンス表示を停止させるべく、表示部１６１への電力供給を停止させる制御を行う。
【０１１５】
これにより、図７（ｂ）に示すエラー表示態様は、図７（ｃ）に示すエラー表示態様に変更される。
【０１１６】
なお、図６（ｄ）に示すエラー表示態様（初期状態のエラー表示態様）において、画像出力装置２００の操作／表示部２６０における操作部２６３の何れかのボタンが押下された場合も、上記同様の処理が行われることにより、図７（ｃ）に示すエラー表示態様に変更される。
【０１１７】
そして、図７（ｃ）に示すエラー表示態様において、画像出力装置２００においてＯＰＣエラーが解除された場合、制御部２２０は、表示部２６１でのガイダンス表示および報知部２６２でのＬＥＤ表示をそれぞれ停止させるべく、表示部２６１および報知部２６２のそれぞれへの電力供給を停止させる制御を行う。また、制御部２２０は、ＯＰＣエラーが解除された旨を、通信部２１０を介して画像入力装置１００に向けて送信する。
【０１１８】
画像入力装置１００では、制御部１２０は、通信部１１０を介して画像出力装置２００からのＯＰＣエラーが解除された旨を取得した場合に、報知部１６２でのＬＥＤ表示を停止させるべく、報知部１６２への電力供給を停止させる制御を行う。
【０１１９】
これにより、図７（ｃ）に示すエラー表示態様は、図７（ｄ）に示すエラー表示態様に変更される。
【０１２０】
なお、図６（ｃ）に示すエラー表示態様（初期状態のエラー表示態様）において、画像出力装置２００においてＯＰＣエラーが解除された場合も、上記同様の処理が行われることにより、図７（ｄ）に示すエラー表示態様に変更される。
【０１２１】
ちなみに、図７（ｂ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１でのガイダンス表示を停止させるべく、表示部１６１への電力供給を停止させる制御を行う。また、制御部１２０は、エラー表示状態が遷移した旨を、通信部１１０を介して画像出力装置２００に向けて送信する。
【０１２２】
画像出力装置２００では、制御部２２０は、通信部２１０を介して画像入力装置１００からのエラー表示状態が遷移した旨を取得した場合であっても、操作／表示部２６０の表示部２６１でのガイダンス表示は停止されているので（表示部２６１への電力供給が停止されているので）、何もしない。
【０１２３】
これにより、図７（ｂ）に示すエラー表示態様は、図７（ａ）に示すエラー表示態様に変更される。
【０１２４】
また、図７（ｃ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１でのガイダンス表示を停止させるべく、表示部２６１への電力供給を停止させる制御を行う。また、制御部２２０は、エラー表示状態が遷移した旨を、通信部２１０を介して画像入力装置１００に向けて送信する。
【０１２５】
画像入力装置１００では、制御部１２０は、通信部１１０を介して画像出力装置２００からのエラー表示状態が遷移した旨を取得した場合であっても、操作／表示部１６０の表示部１６１でのガイダンス表示は停止されているので（表示部１６１への電力供給が停止されているので）、何もしない。
【０１２６】
これにより、図７（ｃ）に示すエラー表示態様は、図７（ａ）に示すエラー表示態様に変更される。
【０１２７】
次に、画像形成システム１のＯＰＣエラー表示処理について、図９を参照して説明する。
【０１２８】
画像入力装置１００では、制御部１２０は、記憶部１５０からＬＥＤ表示切り替え時間情報を読み出して、今回発生するＯＰＣエラーに対応するエラー表示態様にかかわるＬＥＤ表示切り替え時間として設定し（ステップＳ１０１）、当該画像入力装置１００でＯＰＣエラーが発生したか否かを判断する（ステップＳ１０２）。
【０１２９】
制御部１２０は、ステップＳ１０２において原稿ジャム（自動原稿送り装置でのジャム）などＯＰＣエラーが発生したと判断した場合はＯＰＣエラー表示処理を実行する（ステップＳ１０３）。
【０１３０】
制御部１２０は、ステップＳ１０２においてＯＰＣエラーが発生していないと判断した場合は、通信部１１０を介して画像出力装置２００からの紙ジャムなどＯＰＣエラー情報を取得したか否かを判断し（ステップＳ１０４）、この判断した結果、ＯＰＣエラー情報を取得した場合は、ＯＰＣエラー表示処理を実行する（ステップＳ１０５）。
【０１３１】
制御部１２０は、ステップＳ１０３を終了した場合、ステップＳ１０５を終了した場合、ステップＳ１０４においてＯＰＣエラー情報を取得していないと判断した場合は、この処理を終了する。
【０１３２】
画像出力装置２００においても、上記画像入力装置１００の場合と同様に、制御部２２０は、記憶部２３０からＬＥＤ表示切り替え時間情報を読み出して、今回発生するＯＰＣエラーに対応するエラー表示態様にかかわるＬＥＤ表示切り替え時間として設定し（ステップＳ１０１）、当該画像出力装置２００でＯＰＣエラーが発生したか否かを判断する（ステップＳ１０２）。
【０１３３】
制御部２２０は、ステップＳ１０２において紙ジャムなどＯＰＣエラーが発生したと判断した場合はＯＰＣエラー表示処理を実行する（ステップＳ１０３）。
【０１３４】
制御部２２０は、ステップＳ１０２においてＯＰＣエラーが発生していないと判断した場合は、通信部２１０を介して画像入力装置１００からの原稿ジャム（自動原稿送り装置でのジャム）などのＯＰＣエラー情報を取得したか否かを判断し（ステップＳ１０４）、この判断した結果、ＯＰＣエラー情報を取得した場合は、ＯＰＣエラー表示処理を実行する（ステップＳ１０５）。
【０１３５】
制御部２２０は、ステップＳ１０３を終了した場合、ステップＳ１０５を終了した場合、ステップＳ１０４においてＯＰＣエラー情報を取得していないと判断した場合は、この処理を終了する。
【０１３６】
次に、画像入力装置１００および画像出力装置２００のそれぞれのＯＰＣエラー表示処理について説明する。
【０１３７】
この例では、ユーザが画像入力装置１００の図示しないＡＤＦ（自動原稿送り装置）に原稿をセットし、操作／表示部１６０の操作部１６３を操作してコピー開始を指示したことに起因して、画像入力装置１００がＡＤＦ（図示せず）からの原稿を読み取り、この読み取り結果に基づき生成した画像データ（印刷データ）を画像出力装置２００に向けて送信した場合に、画像出力装置２００の印刷処理部２５０による画像形成（印刷）の途中で、ＯＰＣエラーが発生したものとする。
【０１３８】
そのため、画像入力装置１００はステップＳ１０５のＯＰＣエラー表示処理を実行し、画像出力装置２００はステップＳ１０３のＯＰＣエラー表示処理を実行することになる。
【０１３９】
なお、第１の実施の形態では、ＯＰＣエラー発生直後のエラー表示方法として、上記（１）〜（４）のエラー表示方法（初期状態としてのエラー表示態様）のうち、上記（４）のエラー表示方法を採用するものとする（図６（ｄ）参照）。
【０１４０】
最初に、画像入力装置１００のＯＰＣエラー表示処理について、図１０を参照して説明する。
【０１４１】
画像入力装置１００では、制御部１２０は、通信部１１０を介して画像出力装置２００からのＯＰＣエラー情報を取得したことを受けて、操作／表示部１６０の表示部１６１に対しガイダンス表示を行なわせるべく、当該表示部１６１への電力供給をオンさせる制御を行うとともに、報知部１６２に対しＬＥＤ表示を行わせるべく、当該報知部１６２への電力供給をオンさせる制御を行う（ステップＳ２０１）。
【０１４２】
制御部１２０は、操作／表示部１６０の操作部１６３の何れかのボタンが押下されたか否かを判断し（ステップＳ２０２）、この判断した結果、上記何れかのボタンが押下された場合は、操作／表示部１６０での現在のエラー表示態様はＬＥＤ表示のみであるか否かを判断する（ステップＳ２０３）。
【０１４３】
制御部１２０は、ステップＳ２０３において、ＬＥＤ表示のみではないと判断した場合（ガイダンス表示も含んでいると判断した場合）は、表示部１６１でのガイダンス表示をオフし、ＬＥＤ表示に切り替える（ステップＳ２０４）。この場合、制御部１２０は、表示部１６１への電力供給をオフする制御を行う。これによりエラー表示態様はＬＥＤ表示のみとなる。
【０１４４】
制御部１２０は、ステップＳ２０３において、ＬＥＤ表示のみであると判断した場合は、表示部１６１にてガイダンス表示させる（ステップＳ２０５）。この場合、制御部１２０は、表示部１６１への電力供給をオンする制御を行う。これによりエラー表示態様はガイダンス表示とＬＥＤ表示となる。
【０１４５】
制御部１２０は、ステップＳ２０４を終了した場合、ステップＳ２０５を終了した場合、通信部１１０を介して画像出力装置２００からのＯＰＣエラー解除の旨を取得したか否かを判断し（ステップＳ２０６）、この判断した結果、ＯＰＣエラー解除の旨を取得していない場合はステップＳ２０２に戻る。
【０１４６】
制御部１２０は、ステップＳ２０６において、ＯＰＣエラー解除の旨を取得したと判断した場合は、表示部１６１でのガイダンス表示をオフさせるとともに、報知部１６２でのＬＥＤ表示をオフさせ（ステップＳ２０７）、その後、この処理を終了する。この場合、制御部１２０は、表示部１６１への電力供給をオフする制御を行うとともに、報知部１６２への電力供給をオフする制御を行う。これにより表示部１６１でのガイダンス表示および報知部１６２でのＬＥＤ表示はそれぞれ消灯される。
【０１４７】
ところで、制御部１２０は、ステップＳ２０２において、操作部１６３の何れかのボタンも押下されないと判断した場合は、ＯＰＣエラーが発生してから（ＯＰＣエラー情報を取得してから）、図９のステップＳ１０１で設定したＬＥＤ表示切り替え時間を経過したか否かを判断する（ステップＳ２０８）。
【０１４８】
制御部１２０は、ステップＳ２０８において、上記ＬＥＤ表示切り替え時間を経過していないと判断した場合にはステップＳ２０２に戻り、一方、上記ＬＥＤ表示切り替え時間を経過したと判断した場合は、操作／表示部１６０での現在のエラー表示態様はＬＥＤ表示のみであるか否かを判断する（ステップＳ２０９）。
【０１４９】
制御部１２０は、ステップＳ２０９において、ＬＥＤ表示のみであると判断した場合には、ステップＳ２０６に移行し、一方、ＬＥＤ表示のみではないと判断した場合（ガイダンス表示も含んでいると判断した場合）は、ステップＳ２０４に移行する。
【０１５０】
次に、画像出力装置２００のＯＰＣエラー表示処理について、図１１を参照して説明
する。
【０１５１】
画像出力装置２００では、制御部２２０は、ＯＰＣエラーが発生したことを受けて、報知部２６２に対しＬＥＤ表示を行わせるべく、当該報知部２６２への電力供給をオンさせる制御を行う（ステップＳ３０１）。この場合、制御部２２０は、表示部２６１への電力供給はオフされたままとする。
【０１５２】
制御部２２０は、操作／表示部２６０の操作部２６３の何れかのボタンが押下されたか否かを判断し（ステップＳ３０２）、この判断した結果、上記何れかのボタンが押下された場合は、操作／表示部２６０での現在のエラー表示態様はＬＥＤ表示のみであるか否かを判断する（ステップＳ３０３）。
【０１５３】
制御部２２０は、ステップＳ３０３において、ＬＥＤ表示のみではないと判断した場合（ガイダンス表示も含んでいると判断した場合）は、表示部２６１でのガイダンス表示をオフし、ＬＥＤ表示に切り替える（ステップＳ３０４）。この場合、制御部２２０は、表示部２６１への電力供給をオフする制御を行う。これによりエラー表示態様はＬＥＤ表示のみとなる。
【０１５４】
制御部２２０は、ステップＳ３０３において、ＬＥＤ表示のみであると判断した場合は、表示部２６１にてガイダンス表示させる（ステップＳ３０５）。この場合、制御部２２０は、表示部２６１への電力供給をオンする制御を行う。これによりエラー表示態様はガイダンス表示とＬＥＤ表示となる。
【０１５５】
制御部２２０は、ステップＳ３０４を終了した場合、ステップＳ３０５を終了した場合、ＯＰＣエラーが解除されたか否かを判断し（ステップＳ３０６）、この判断した結果、ＯＰＣエラーが解除されていない場合はステップＳ３０２に戻る。
【０１５６】
制御部２２０は、ステップＳ３０６において、ＯＰＣエラーが解除されたと判断した場合は、表示部２６１でのガイダンス表示をオフさせるとともに、報知部２６２でのＬＥＤ表示をオフさせ（ステップＳ３０７）、さらに、ＯＰＣエラー解除した旨を画像入力装置１００に向けて通知し（ステップＳ３０８）、その後、この処理を終了する。
【０１５７】
この場合、制御部２２０は、表示部２６１への電力供給をオフする制御を行うとともに、報知部２６２への電力供給をオフする制御を行う。これにより表示部２６１でのガイダンス表示および報知部２６２でのＬＥＤ表示はそれぞれ消灯される。
【０１５８】
ところで、制御部２２０は、ステップＳ３０２において、操作部２６３の何れかのボタンも押下されないと判断した場合は、ＯＰＣエラーが発生してから、図９のステップＳ１０１で設定したＬＥＤ表示切り替え時間を経過したか否かを判断する（ステップＳ３０９）。
【０１５９】
制御部２２０は、ステップＳ３０９において、上記ＬＥＤ表示切り替え時間を経過していないと判断した場合にはステップＳ３０２に戻り、一方、上記ＬＥＤ表示切り替え時間を経過したと判断した場合は、操作／表示部２６０での現在のエラー表示態様はＬＥＤ表示のみであるか否かを判断する（ステップＳ３１０）。
【０１６０】
制御部２２０は、ステップＳ３１０において、ＬＥＤ表示のみであると判断した場合には、ステップＳ３０６に移行し、一方、ＬＥＤ表示のみではないと判断した場合（ガイダンス表示も含んでいると判断した場合）は、ステップＳ３０４に移行する。
【０１６１】
なお、第１の実施の形態では、図１０に示した画像入力装置１００のエラー表示処理および図１１に示した画像出力装置２００のエラー表示処理においては、ＯＰＣエラー発生直後のエラー表示方法として、上記（１）〜（４）のエラー表示方法（初期状態としてのエラー表示態様）のうち、上記（４）のエラー表示方法を採用するとしているが、本発明はこれに限定されることなく、上記（１）〜（４）のエラー表示方法（初期状態としてのエラー表示態様）のうち、何れのエラー表示方法を採用するようにしてもよい。
【０１６２】
この場合、図１０のステップＳ２０１および図１１のステップＳ３０１においては、採用されたエラー表示方法に対応するエラー表示態様となるよう処理が実施される。
【０１６３】
以上説明したように、画像形成システム１において、ユーザが画像入力装置１００を用いて原稿のコピー処理操作を行うことにより、画像出力装置２００が、原稿に対応する画像データ（印刷データ）に基づく印刷処理の途中でＯＰＣエラーが発生したとする。この場合、ＯＰＣエラーは紙ジャムであるとする。
【０１６４】
そして、画像入力装置１００および画像出力装置２００のそれぞれの初期状態のエラー表示態様は図１２（ａ）に示すエラー表示態様（図６（ｄ）に示すエラー表示態様と同じ）となる。
【０１６５】
画像入力装置１００の近傍に位置するユーザが、画像入力装置１００の操作／表示部１６０の表示部１６１に表示されているガイダンスを参照して、画像出力装置２００にＯＰＣエラーが発生していることを認識し、その後、操作／表示部１６０の操作部１６３の何れかのボタンを押下する。
【０１６６】
これにより、図１２（ａ）に示すエラー表示態様（図６（ｄ）に示すエラー表示態様と同じ）は、図１２（ｂ）に示すエラー表示態様（図７（ａ）に示すエラー表示態様と同じ）に変更される。
【０１６７】
なお、ユーザは、画像出力装置２００のＯＰＣエラーを解除するべく、画像出力装置２００が設置されている場所へ行くことになる。
【０１６８】
ユーザが、ＯＰＣエラーを発生している画像出力装置２００において、ＯＰＣエラーの内容を再確認するために操作／表示部２６０の操作部２６３の何れかのボタンを押下すると、図１２（ｂ）に示すエラー表示態様は、図１２（ｃ）に示すエラー表示態様（図７（ｃ）に示すエラー表示態様と同じ）に変更される。
【０１６９】
次に、ユーザが、ＯＰＣエラー（紙ジャム）を解除するべく、カバーオープンあるいはトレイオープンなどの操作（ユーザ介入）を行うと、図１２（ｃ）に示すエラー表示態様は、図１２（ｄ）に示すエラー表示態様（図１２（ａ）に示すエラー表示態様と同じ）に変更される。
【０１７０】
そして、ユーザが、紙ジャムとなっている記録用紙を取り除くことで、ＯＰＣエラーが解除されると、図１２（ｄ）に示すエラー表示態様は、図１２（ｅ）に示すエラー表示態様（図７（ｄ）に示すエラー表示態様と同じ）に変更される。
【０１７１】
なお、ユーザがＯＰＣエラーを解除するために画像出力装置２００に出向いたときに、ＯＰＣエラーの内容を再確認しないで（図１２（ａ）に示すエラー表示態様においてＯＰＣエラーの内容を認識しているので）、ＯＰＣエラーを解除するようにした場合には、エラー表示態様は、図１２（ａ）に示す内容、図１２（ｂ）に示す内容、および図１２（ｅ）に示す内容の順に変更されることとなる。
【０１７２】
以上説明したように、第１の実施の形態では、ＯＰＣエラー発生毎に、ガイダンス表示（エラー情報の表示）に関しては、「操作部の何れかのボタンが押下された場合」、「ＬＥＤ表示切り替え時間が経過した場合」、「ユーザ介入された場合」の何れかの事象が発生したときに、ガイダンス表示（エラー情報の表示）をオフ（表示部への電力供給をオフ）して、ＬＥＤ表示（エラー発生している旨の報知）へ切り替える。
【０１７３】
すなわち、操作／表示部の表示部においては、電力供給がオフされるのでガイダンスが表示されたままの状態が防止される。これにより、当該表示部は、無駄な電力消費が抑制され、結果的に、寿命が短くなってしまうことが抑制される。
【０１７４】
次に、第１の実施の形態に係る画像入力装置（スキャナ）１００のハードウェア構成について、図１３を参照して説明する。
【０１７５】
画像入力装置１００は、図１３に示すように、ＣＰＵ１０１、記憶装置１０２、ＲＯＭ１０３、ＲＡＭ１０４、操作パネル１０５、スキャナ１０６、および通信Ｉ／Ｆ１０７を有している。これらの構成要素１０１〜１０７はシステムバス１０８に接続されている。なお、記憶装置１０２、およびスキャナ１０６は、それぞれに対応するインタフェース（図示せず）を介してシステムバス１０８に接続される。
【０１７６】
記憶装置１０２は、例えばハードディスクであり、図２に示した制御部１２０および画像解析部１４０の各機能を実現するためのソフトウェア（プログラム）、図１０に示したエラー表示処理の処理手順に対応するソフトウェア（プログラム）、処理プログラム１０２Ａなどインストールされた各種のプログラムを記憶している。
【０１７７】
また、記憶装置１０２は、図２に示した記憶装置１５０の機能を有し、ＬＥＤ表示切り替え時間情報を記憶する。
【０１７８】
処理プログラム１０２Ａは、少なくとも次の（１）および（２）の各処理過程を含んでいる。
【０１７９】
（１）少なくとも表示手段（表示部１６１）に対しエラーに関するエラー情報を表示させる制御または報知手段（報知部１６２）に対しエラー発生している旨を報知させる制御を実施する表示制御処理過程。この処理過程は制御部１２０によって実行される。
【０１８０】
（２）上記表示手段によって上記エラー情報が表示されている場合に、予め設定される事象が発生したことを条件に、上記表示手段に対し上記エラー情報の表示を停止させるとともに上記報知手段に対し上記エラー発生している旨を報知させる制御を実施する切替制御処理過程。この処理過程は制御部１２０によって実行される。
【０１８１】
ＲＯＭ１０３は、読み出し専用メモリであり、画像出力装置２００など外部装置との通信を実施するための通信プロトコル情報を記憶している。
【０１８２】
ＲＡＭ１０４は、随時書き込み読み出しメモリであり、記憶装置１０２から読み込まれた処理プログラム１０２Ａを含むプログラムやデータ、ＲＯＭ１０３から読み込まれた通信プロトコル情報、通信Ｉ／Ｆ１０７によって送受信されるデータなどを記憶する。
【０１８３】
操作パネル１０５は、図２に示した操作／表示部１６０の機能を果たし、エラー情報、エラー発生している旨など表示情報を表示する表示機能と、コピー開始指示や出力形態切り替え指示など入力情報を入力する入力機能とを有する。
【０１８４】
スキャナ１０６は、図２に示した画像読取部１３０の機能を果たし、原稿を光学的に読み取り画像データに変換する。
【０１８５】
通信Ｉ／Ｆ１０７は、図２に示した通信部１１０の機能を果たし、通信回線（ネットワーク）３００を介して外部装置、例えば画像出力装置２００（図１参照）との通信を行うものである。
【０１８６】
ＣＰＵ１０１は、中央演算処理装置であり、記憶装置１０２からＲＡＭ１０４へ、処理プログラム１０２Ａを含むプログラムを読み込んで実行することにより、上述した制御部１１０および画像解析部１４０の機能を実現するとともに、処理プログラム１０２Ａに対応する処理機能を実現する。また、ＣＰＵ１０１は画像入力装置１００全体を制御する。
【０１８７】
次に、第１の実施の形態に係る画像出力装置（プリンタ）２００のハードウェア構成について、図１４を参照して説明する。
【０１８８】
画像出力装置２００は、図１４に示すように、ＣＰＵ２０１、記憶装置２０２、ＲＯＭ２０３、ＲＡＭ２０４、操作パネル２０５、プリンタエンジン２０６、および通信インタフェース（以下「通信Ｉ／Ｆ」という。）２０７を備えている。
【０１８９】
上記各構成要素２０１〜２０７はシステムバス２０８に接続されている。なお、記憶装置２０２、およびプリンタエンジン２０６は、それぞれに対応するインタフェース（図示せず）を介してシステムバス２０８に接続される。
【０１９０】
記憶装置２０２は、例えばハードディスクであり、図４に示した制御部２２０および画像処理部２４０の各機能を実現するためのソフトウェア（プログラム）、図１１に示したエラー表示処理の処理手順に対応するソフトウェア（プログラム）、処理プログラム２０２Ａなどインストールされた各種のプログラムを記憶している。
【０１９１】
処理プログラム１０２Ａは、少なくとも次の（１）および（２）の各処理過程を含んでいる。
【０１９２】
（１）少なくとも表示手段（表示部２６１）に対しエラーに関するエラー情報を表示させる制御または報知手段（報知部２６２）に対しエラー発生している旨を報知させる制御を実施する表示制御処理過程。この処理過程は制御部２２０によって実行される。
【０１９３】
（２）上記表示手段によって上記エラー情報が表示されている場合に、予め設定される事象が発生したことを条件に、上記表示手段に対し上記エラー情報の表示を停止させるとともに上記報知手段に対し上記エラー発生している旨を報知させる制御を実施する切替制御処理過程。この処理過程は制御部２２０によって実行される。
【０１９４】
また、記憶装置１０２は、図４に示した記憶装置２３０の機能を有し、ＬＥＤ表示切り替え時間情報を記憶する。
【０１９５】
ＲＯＭ２０３は、読み出し専用メモリであり、画像入力装置１００など外部装置との通信を実施するための通信プロトコル情報を記憶している。
【０１９６】
ＲＡＭ２０４は、随時書き込み読み出しメモリであり、記憶装置２０２から読み込まれた処理プログラム２０２Ａを含むプログラムやデータ、ＲＯＭ２０３から読み込まれた通信プロトコル情報、通信Ｉ／Ｆ２０７によって送受信されるデータなどを記憶する。
【０１９７】
操作パネル２０５は、図４に示した操作／表示部２６０の機能を有し、エラー情報、エラー発生している旨など表示情報を表示する表示機能と、出力形態切り替え指示など入力情報を入力する入力機能とを有する。
【０１９８】
プリンタエンジン２０６は、図４に示した印刷処理部２５０の機能を有し、ページ単位の画像データを基に画像形成処理（印刷処理）を実施する。
【０１９９】
通信Ｉ／Ｆ２０７は、図４に示した通信部２１０の機能を有し、通信回線（ネットワーク）３００を介して外部装置、例えば画像入力装置１００との通信を行うものである。
【０２００】
ＣＰＵ２０１は、記憶装置２０２からＲＡＭ２０４に処理プログラム２０２Ａを含むプログラムを読み込んで実行することにより、図４に示した制御部２２０、画像処理部２４０の各機能を実現するとともに、処理プログラム２０２Ａに対応する処理機能を実現する。また、ＣＰＵ２０１は画像出力装置２００全体を制御する。
【０２０１】
本願明細書において、処理プログラムを記録媒体としてのハードディスク等の記憶装置に記録する実施形態として説明したが、当該処理プログラムを次のようにして提供してもよい。
【０２０２】
すなわち、上記処理プログラムをＲＯＭに格納しておき、ＣＰＵが、この処理プログラムをこのＲＯＭから主記憶装置へローディングして実行するようにしてもよい。
【０２０３】
また、上記処理プログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された処理プログラムを画像入力装置（または画像出力装置）がインストールした後、この処理プログラムをＣＰＵが実行するようにする。この処理プログラムのインストール先としては、ＲＡＭ等のメモリやハードディスクなどの記憶装置（記録媒体）が挙げられる。そして、画像入力装置（または画像出力装置）は、必要に応じてこの記憶装置に記憶した処理プログラムを主記憶装置にローディングして実行する。
【０２０４】
さらには、画像入力装置（または画像出力装置）を通信回線（例えばインターネット）を介してサーバ装置あるいはホストコンピュータと接続するようにし、当該画像入力装置（または画像出力装置）が、サーバ装置あるいはホストコンピュータから上記プ処理プログラムをダウンロードした後、この処理プログラムを実行するようにしてもよい。この場合、この処理プログラムのダウンロード先としては、ＲＡＭ等のメモリやハードディスクなどの記憶装置（記録媒体）が挙げられる。そして、当該画画像入力装置（または画像出力装置）が、必要に応じてこの記憶装置に記憶された上記処理プログラムを主記憶装置にローディングして実行するようにする。
【０２０５】
（第２の実施の形態）
【０２０６】
次に、第２の実施の形態に係る画像形成システムについて説明する。
【０２０７】
この画像形成システムは、図１に示した第１の実施の形態の画像形成システム１の構成と同様になっている。また、第２の実施の形態に係る画像入力装置および画像出力装置は、それぞれ図２に示した画像入力装置１００および図４に示した画像出力装置２００の各機能構成と同様になっている。
【０２０８】
例えば、画像入力装置１００では、制御部１２０は、上述した（１２０−１）〜（１２０−４）の処理を実施する。また画像出力装置２００では、制御部２２０は、上述した（２２０−１）〜（２２０−４）の処理を実施する。これらの処理を実施する際の要件の一つである予め設定される事象、およびその事象に含まれる予め決められた時間（ＬＥＤ表示切り替え時間）のそれぞれの定義は、第１の実施の形態で説明した内容の通りである。
【０２０９】
また、第２の実施の形態においても、「エラー情報の表示」を「ガイダンス表示」と定義し、「エラー発生している旨の報知」を「ＬＥＤ表示」と定義する。
【０２１０】
次に、画像入力装置１００でエラー（ＯＰＣエラー）が発生し、画像出力装置２００がエラー情報（ＯＰＣエラー情報）を取得した場合の画像形成システムのエラー表示処理について説明する。
【０２１１】
第２の実施の形態では、画像形成システム１において、画像入力装置１００にＯＰＣエラー（ＡＤＦジャム）が発生した場合、ＯＰＣエラー発生直後のエラー表示方法としては、次の（１）〜（４）の表示方法が挙げられる。
【０２１２】
（１）図１５（ａ）に示すように、画像入力装置１００の操作／表示部１６０および画像出力装置２００の操作／表示部２６０のそれぞれにおいて、ガイダンス表示およびＬＥＤ表示を行う。
【０２１３】
すなわち、画像入力装置１００でＯＰＣエラーが発生した場合、画像入力装置１００では、制御部１２０は、表示部１６１に対しガイダンス表示を行わせるとともに報知部１６２に対しＬＥＤ表示を行わせる。また、制御部１２０はＯＰＣエラー情報を通信部１１０を介して画像出力装置２００に向けて送信する。画像出力装置２００では、制御部２２０は、通信部２１０を介してＯＰＣエラー情報を取得したことを受けて、表示部２６１に対しガイダンス表示を行わせるとともに報知部２６２に対しＬＥＤ表示を行わせる。
【０２１４】
ここで、図１５（ａ）において、報知部１６２がＬＥＤ表示している状態（ＬＥＤがＯＮの状態）を塗り潰し処理された四角形で示している。同様に、報知部２６２がＬＥＤ表示している状態（ＬＥＤがＯＮの状態）を塗り潰し処理された四角形で示している。この図１５（ｂ）〜（ｄ）および他の図においても、報知部がＬＥＤ表示している状態を塗り潰し処理された四角形で示す。
【０２１５】
なお、操作／表示部１６０および操作／表示部２６０においては、ガイダンス表示されているので、ＬＥＤ表示は行わないようにしてもよい。
【０２１６】
（２）図１５（ｂ）に示すように、画像入力装置１００の操作／表示部１６０および画像出力装置２００の操作／表示部２６０のそれぞれにおいて、ＬＥＤ表示のみを行う。
【０２１７】
すなわち、画像入力装置１００でＯＰＣエラーが発生した場合、画像入力装置１００では、制御部１２０は、報知部１６２に対しＬＥＤ表示を行わせる。また、制御部１２０はＯＰＣエラー情報を通信部１１０を介して画像出力装置２００に向けて送信する。画像出力装置２００では、制御部２２０は、通信部２１０を介してＯＰＣエラー情報を取得したことを受けて、報知部２６２に対しＬＥＤ表示を行わせる。
【０２１８】
（３）図１５（ｃ）に示すように、ＯＰＣエラーが発生した方の装置例えば画像入力装置１００の操作／表示部１６０においてガイダンス表示およびＬＥＤ表示を行い、他方の装置例えば画像出力装置２００の操作／表示部２６０においてはＬＥＤ表示のみを行う。
【０２１９】
すなわち、画像入力装置１００でＯＰＣエラーが発生した場合、画像入力装置１００では、制御部１２０は、表示部１６１に対しガイダンス表示を行わせるとともに報知部１６２に対しＬＥＤ表示を行わせる。また、制御部１２０はＯＰＣエラー情報を通信部１１０を介して画像出力装置２００に向けて送信する。画像出力装置２００では、制御部２２０は、通信部２１０を介してＯＰＣエラー情報を取得したことを受けて、報知部２６２に対しＬＥＤ表示を行わせる。
【０２２０】
なお、操作／表示部１６０においては、ガイダンス表示されているので、ＬＥＤ表示は行わないようにしてもよい。
【０２２１】
（４）図１５（ｄ）に示すように、前回のＯＰＣエラー発生時において最後にガイダンス表示を行っていた装置例えば画像出力装置２００の操作／表示部２６０においてガイダンス表示およびＬＥＤ表示を行い、他方の装置例えば画像入力装置１００の操作／表示部１６０においてはＬＥＤ表示のみを行う。
【０２２２】
すなわち、画像入力装置１００でＯＰＣエラーが発生した場合、画像入力装置１００では、制御部１２０は、前回のＯＰＣエラー発生時（画像入力装置１００および画像出力装置２００の何れでＯＰＣエラーが発生したかは問わない）において最後のエラー表示態様はＬＥＤ表示であるということを認識しているので、報知部１６２に対しＬＥＤ表示を行わせる。また、制御部１２０はＯＰＣエラー情報を通信部１１０を介して画像出力装置２００に向けて送信する。
【０２２３】
画像出力装置２００では、制御部２２０は、通信部２１０を介してＯＰＣエラー情報を取得したことを受けて、前回のＯＰＣエラー発生時（画像入力装置１００および画像出力装置２００の何れでＯＰＣエラーが発生したかは問わない）において最後のエラー表示態様はガイダンス表示であるということを認識しているので、表示部２６１に対しガイダンス表示を行わせるとともに報知部２６２に対しＬＥＤ表示を行わせる。
【０２２４】
なお、操作／表示部２６０においては、ガイダンス表示されているので、ＬＥＤ表示は行わないようにしてもよい。
【０２２５】
上記（１）、（３）、（４）のエラー表示方法（図１５（ａ），（ｃ），（ｄ）のエラー表示態様を参照）のうち何れかのエラー表示方法での初期状態のエラー表示態様において、ガイダンス表示を行っている操作／表示部では、第１の実施の形態で説明したように「操作部の何れかのボタンが押下された場合」、「ＬＥＤ表示切り替え時間が経過した場合」、「ユーザ介入された場合」のうち何れかの事象が発生した場合は、図１６（ａ）に示すように、ガイダンス表示を停止し、ＬＥＤ表示のみとする。
【０２２６】
次に、上述した図１５（ａ），（ｃ），（ｄ）のエラー表示態様のうち何れかの初期状態のエラー表示態様から図１６（ａ）のエラー表示態様に変更される場合の処理について具体的に説明する。
【０２２７】
例えば、図１５（ａ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１に対しガイダンス表示を停止させるべく、表示部２６１への電力供給を停止（オフ）するよう制御する。また、制御部２２０は、エラー表示状態が遷移した旨を、通信部２１０を介して画像入力装置１００に向けて送信する。
【０２２８】
画像入力装置１００では、制御部１２０は、通信部１１０を介して画像出力装置２００からのエラー表示状態が遷移した旨を取得した場合に、操作／表示部１６０の表示部１６１にガイダンス表示を停止させるべく、表示部１６１への電力供給を停止させる制御を行う。
【０２２９】
これにより、図１５（ａ）に示すエラー表示態様は、図１６（ａ）に示すエラー表示態様に変更される。
【０２３０】
勿論、画像入力装置１００の操作／表示部１６０における操作部１６３の何れかのボタンが押下された場合においても、上記同様の処理が実施される。
【０２３１】
また、図１５（ｃ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１に対しガイダンス表示を停止させるべく、表示部１６１への電力供給を停止させる制御を行う。また、制御部１２０は、エラー表示状態が遷移した旨を、通信部１１０を介して画像出力装置２００に向けて送信する。
【０２３２】
画像出力装置２００では、制御部２２０は、通信部２１０を介して画像入力装置１００からのエラー表示状態が遷移した旨を取得した場合であっても、操作／表示部２６０の表示部２６１でのガイダンス表示は停止されているので（表示部２６１への電力供給が停止されているので）、何もしない。
【０２３３】
これにより、図１５（ｃ）に示すエラー表示態様は、図１６（ａ）に示すエラー表示態様に変更される。
【０２３４】
さらに、図１５（ｄ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１に対しガイダンス表示を停止させるべく、表示部２６１への電力供給を停止させる制御を行う。また、制御部２２０は、エラー表示状態が遷移した旨を、通信部２１０を介して画像入力装置２００に向けて送信する。
【０２３５】
画像入力装置１００では、制御部１２０は、通信部１１０を介して画像出力装置２００からのエラー表示状態が遷移した旨を取得した場合であっても、操作／表示部１６０の表示部１６１でのガイダンス表示は停止されているので（表示部１６１への電力供給が停止されているので）、何もしない。
【０２３６】
これにより、図１５（ｄ）に示すエラー表示態様は、図１６（ａ）に示すエラー表示態様に変更される。
【０２３７】
次に、図１６（ａ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１に対しガイダンス表示を行わせるべく、表示部２６１への電力供給が行われるよう制御する。また、制御部２２０は、エラー表示状態が遷移した旨を、通信部２１０を介して画像入力装置１００に向けて送信する。
【０２３８】
画像入力装置１００では、制御部１２０は、通信部１１０を介して画像出力装置２００からのエラー表示状態が遷移した旨を取得した場合であっても、操作／表示部１６０の表示部１６１でのガイダンス表示は停止されているので（表示部１６１への電力供給が停止されているので）、何もしない。
【０２３９】
これにより、図１６（ａ）に示すエラー表示態様は、図１６（ｂ）に示すエラー表示態様に変更される。
【０２４０】
なお、図１５（ｂ）に示すエラー表示態様（初期状態のエラー表示態様）において、画像出力装置２００の操作／表示部２６０における操作部２６３の何れかのボタンが押下された場合も、上記同様の処理が行われることにより、図１６（ｂ）に示すエラー表示態様に変更される。
【０２４１】
続いて、図１６（ｂ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１に対しガイダンス表示を行わせるべく、表示部１６１への電力供給が行われるよう制御する。また、制御部１２０は、エラー表示状態が遷移した旨を、通信部１１０を介して画像出力装置２００に向けて送信する。
【０２４２】
画像出力装置２００では、制御部２２０は、通信部２１０を介して画像入力装置１００からのエラー表示状態が遷移した旨を取得した場合に、操作／表示部２６０の表示部２６１でのガイダンス表示を停止させるべく、表示部２６１への電力供給を停止させる制御を行う。
【０２４３】
これにより、図１６（ｂ）に示すエラー表示態様は、図１６（ｃ）に示すエラー表示態様に変更される。
【０２４４】
なお、図１５（ｄ）に示すエラー表示態様（初期状態のエラー表示態様）において、画像入力装置１００の操作／表示部１６０における操作部１６３の何れかのボタンが押下された場合も、上記同様の処理が行われることにより、図１６（ｃ）に示すエラー表示態様に変更される。
【０２４５】
そして、図１６（ｃ）に示すエラー表示態様において、画像入力装置１００においてＯＰＣエラーが解除された場合、制御部１２０は、表示部１６１でのガイダンス表示および報知部１６２でのＬＥＤ表示をそれぞれ停止させるべく、表示部１６１および報知部１６２のそれぞれへの電力供給を停止させる制御を行う。また、制御部１２０は、ＯＰＣエラーが解除された旨を、通信部１１０を介して画像出力装置２００に向けて送信する。
【０２４６】
画像出力装置２００では、制御部２２０は、通信部２１０を介して画像入力装置１００からのＯＰＣエラーが解除された旨を取得した場合に、報知部２６２でのＬＥＤ表示を停止させるべく、報知部２６２への電力供給を停止させる制御を行う。
【０２４７】
これにより、図１６（ｃ）に示すエラー表示態様は、図１６（ｄ）に示すエラー表示態様に変更される。
【０２４８】
なお、図１５（ｃ）に示すエラー表示態様（初期状態のエラー表示態様）において、画像入力装置１００においてＯＰＣエラーが解除された場合も、上記同様の処理が行われることにより、図１６（ｄ）に示すエラー表示態様に変更される。
【０２４９】
ちなみに、図１６（ｂ）に示すエラー表示態様において、画像出力装置２００の操作／表示部２６０における操作部２６３の何れかのボタンが押下された場合、その押下されたボタンに対応する信号が制御部２２０に与えられるので、制御部２２０は、表示部２６１でのガイダンス表示を停止させるべく、表示部２６１への電力供給を停止させる制御を行う。また、制御部２２０は、エラー表示状態が遷移した旨を、通信部２１０を介して画像入力装置１００に向けて送信する。
【０２５０】
画像入力装置１００では、制御部１２０は、通信部１１０を介して画像出力装置２００からのエラー表示状態が遷移した旨を取得した場合であっても、操作／表示部１６０の表示部１６１でのガイダンス表示は停止されているので（表示部１６１への電力供給が停止されているので）、何もしない。
【０２５１】
これにより、図１６（ｂ）に示すエラー表示態様は、図１６（ａ）に示すエラー表示態様に変更される。
【０２５２】
また、図１６（ｃ）に示すエラー表示態様において、画像入力装置１００の操作／表示部１６０における操作部１６３の何れかのボタンが押下された場合、その押下されたボタンに対応する信号が制御部１２０に与えられるので、制御部１２０は、表示部１６１でのガイダンス表示を停止させるべく、表示部１６１への電力供給を停止させる制御を行う。また、制御部１２０は、エラー表示状態が遷移した旨を、通信部１１０を介して画像出力装置２００に向けて送信する。
【０２５３】
画像出力装置２００では、制御部２２０は、通信部２１０を介して画像入力装置１００からのエラー表示状態が遷移した旨を取得した場合であっても、操作／表示部２６０の表示部２６１でのガイダンス表示は停止されているので（表示部２６１への電力供給が停止されているので）、何もしない。
【０２５４】
これにより、図１６（ｃ）に示すエラー表示態様は、図１６（ａ）に示すエラー表示態様に変更される。
【０２５５】
第２の実施の形態での画像形成システム１のＯＰＣエラー表示処理は、図９に示した第１の実施の形態の場合と同様であるので、ここではその説明は省略する。
【０２５６】
次に、画像入力装置１００および画像出力装置２００のそれぞれのＯＰＣエラー表示処理について説明する。
【０２５７】
この例では、ユーザが画像入力装置１００の図示しないＡＤＦ（自動原稿送り装置）に原稿をセットし、操作／表示部１６０の操作部１６３を操作してコピー開始を指示したことに起因して、画像入力装置１００が、ＡＤＦ（図示せず）からの原稿を読み取り、この読み取り結果に基づき生成した画像データ（印刷データ）を画像出力装置２００に向けて送信するコピー処理を実施している場合に、そのコピー処理の途中で、ＡＤＦジャム（自動原稿送り装置での原稿ジャム）などＯＰＣエラーが発生したものとする。
【０２５８】
そのため、画像入力装置１００は図９のステップＳ１０３のＯＰＣエラー表示処理を実行し、画像出力装置２００は図９のステップＳ１０５のＯＰＣエラー表示処理を実行することになる。
【０２５９】
なお、第２の実施の形態では、ＯＰＣエラー発生直後のエラー表示方法として、上記（１）〜（４）のエラー表示方法（初期状態としてのエラー表示態様）のうち、上記（４）のエラー表示方法を採用するものとする（図１５（ｄ）参照）。
【０２６０】
最初に、画像出力装置２００のＯＰＣエラー表示処理について、図１７を参照して説明する。
【０２６１】
画像出力装置２００では、制御部２２０は、通信部２１０を介して画像入力装置１００からのＯＰＣエラー情報を取得したことを受けて、操作／表示部２６０の表示部２６１に対しガイダンス表示を行なわせるべく、当該表示部２６１への電力供給をオンさせる制御を行うとともに、報知部２６２に対しＬＥＤ表示を行わせるべく、当該報知部２６２への電力供給をオンさせる制御を行う（ステップＳ４０１）。
【０２６２】
制御部２２０は、操作／表示部２６０の操作部２６３の何れかのボタンが押下されたか否かを判断し（ステップＳ４０２）、この判断した結果、上記何れかのボタンが押下された場合は、操作／表示部２６０での現在のエラー表示態様はＬＥＤ表示のみであるか否かを判断する（ステップＳ４０３）。
【０２６３】
制御部２２０は、ステップＳ４０３において、ＬＥＤ表示のみではないと判断した場合（ガイダンス表示も含んでいると判断した場合）は、表示部２６１でのガイダンス表示をオフし、ＬＥＤ表示に切り替える（ステップＳ４０４）。この場合、制御部２２０は、表示部２６１への電力供給をオフする制御を行う。これによりエラー表示態様はＬＥＤ表示のみとなる。
【０２６４】
制御部２２０は、ステップＳ４０３において、ＬＥＤ表示のみであると判断した場合は、表示部２６１にてガイダンス表示させる（ステップＳ４０５）。この場合、制御部２２０は、表示部２６１への電力供給をオンする制御を行う。これによりエラー表示態様はガイダンス表示とＬＥＤ表示となる。
【０２６５】
制御部２２０は、ステップＳ４０４を終了した場合、ステップＳ４０５を終了した場合、通信部２１０を介して画像入力装置１００からのＯＰＣエラー解除の旨を取得したか否かを判断し（ステップＳ４０６）、この判断した結果、ＯＰＣエラー解除の旨を取得していない場合はステップＳ４０２に戻る。
【０２６６】
制御部２２０は、ステップＳ４０６において、ＯＰＣエラー解除の旨を取得したと判断した場合は、表示部２６１でのガイダンス表示をオフさせるとともに、報知部２６２でのＬＥＤ表示をオフさせ（ステップＳ４０７）、その後、この処理を終了する。この場合、制御部２２０は、表示部２６１への電力供給をオフする制御を行うとともに、報知部２６２への電力供給をオフする制御を行う。これにより表示部２６１でのガイダンス表示および報知部２６２でのＬＥＤ表示はそれぞれ消灯される。
【０２６７】
ところで、制御部２２０は、ステップＳ４０２において、操作部２６３の何れかのボタンも押下されないと判断した場合は、ＯＰＣエラーが発生してから（ＯＰＣエラー情報を取得してから）、図９のステップＳ１０１の処理と同様の処理を実行することにより設定したＬＥＤ表示切り替え時間を経過したか否かを判断する（ステップＳ４０８）。
【０２６８】
制御部２２０は、ステップＳ４０８において、上記ＬＥＤ表示切り替え時間を経過していないと判断した場合にはステップＳ４０２に戻り、一方、上記ＬＥＤ表示切り替え時間を経過したと判断した場合は、操作／表示部２６０での現在のエラー表示態様はＬＥＤ表示のみであるか否かを判断する（ステップＳ４０９）。
【０２６９】
制御部２２０は、ステップＳ４０９において、ＬＥＤ表示のみであると判断した場合には、ステップＳ４０６に移行し、一方、ＬＥＤ表示のみではないと判断した場合（ガイダンス表示も含んでいると判断した場合）は、ステップＳ４０４に移行する。
【０２７０】
次に、画像入力装置１００のＯＰＣエラー表示処理について、図１８を参照して説明
する。
【０２７１】
画像入力装置１００では、制御部１２０は、ＯＰＣエラーが発生したことを受けて、報知部１６２に対しＬＥＤ表示を行わせるべく、当該報知部１６２への電力供給をオンさせる制御を行う（ステップＳ５０１）。この場合、制御部１２０は、表示部１６１への電力供給はオフされたままとする。
【０２７２】
制御部１２０は、操作／表示部１６０の操作部１６３の何れかのボタンが押下されたか否かを判断し（ステップＳ５０２）、この判断した結果、上記何れかのボタンが押下された場合は、操作／表示部１６０での現在のエラー表示態様はＬＥＤ表示のみであるか否かを判断する（ステップＳ５０３）。
【０２７３】
制御部１２０は、ステップＳ５０３において、ＬＥＤ表示のみではないと判断した場合（ガイダンス表示も含んでいると判断した場合）は、表示部１６１でのガイダンス表示をオフし、ＬＥＤ表示に切り替える（ステップＳ５０４）。この場合、制御部１２０は、表示部１６１への電力供給をオフする制御を行う。これによりエラー表示態様はＬＥＤ表示のみとなる。
【０２７４】
制御部１２０は、ステップＳ５０３において、ＬＥＤ表示のみであると判断した場合は、表示部１６１にてガイダンス表示させる（ステップＳ５０５）。この場合、制御部１２０は、表示部１６１への電力供給をオンする制御を行う。これによりエラー表示態様はガイダンス表示とＬＥＤ表示となる。
【０２７５】
制御部１２０は、ステップＳ５０４を終了した場合、ステップＳ５０５を終了した場合、ＯＰＣエラーが解除されたか否かを判断し（ステップＳ５０６）、この判断した結果、ＯＰＣエラーが解除されていない場合はステップＳ５０２に戻る。
【０２７６】
制御部１２０は、ステップＳ５０６において、ＯＰＣエラーが解除されたと判断した場合は、表示部１６１でのガイダンス表示をオフさせるとともに、報知部１６２でのＬＥＤ表示をオフさせ（ステップＳ５０７）、さらに、ＯＰＣエラー解除した旨を画像出力装置２００に向けて通知し（ステップＳ５０８）、その後、この処理を終了する。
【０２７７】
この場合、制御部１２０は、表示部１６１への電力供給をオフする制御を行うとともに、報知部１６２への電力供給をオフする制御を行う。これにより表示部１６１でのガイダンス表示および報知部１６２でのＬＥＤ表示はそれぞれ消灯される。
【０２７８】
ところで、制御部１２０は、ステップＳ５０２において、操作部１６３の何れかのボタンも押下されないと判断した場合は、ＯＰＣエラーが発生してから、図９のステップＳ１０１の処理と同様の処理を実行することにより設定したＬＥＤ表示切り替え時間を経過したか否かを判断する（ステップＳ５０９）。
【０２７９】
制御部１２０は、ステップＳ５０９において、上記ＬＥＤ表示切り替え時間を経過していないと判断した場合にはステップＳ５０２に戻り、一方、上記ＬＥＤ表示切り替え時間を経過したと判断した場合は、操作／表示部１６０での現在のエラー表示態様はＬＥＤ表示のみであるか否かを判断する（ステップＳ５１０）。
【０２８０】
制御部１２０は、ステップＳ５１０において、ＬＥＤ表示のみであると判断した場合には、ステップＳ５０６に移行し、一方、ＬＥＤ表示のみではないと判断した場合（ガイダンス表示も含んでいると判断した場合）は、ステップＳ５０４に移行する。
【０２８１】
なお、第２の実施の形態では、図１７に示した画像出力装置２００のエラー表示処理および図１８に示した画像入力装置１００のエラー表示処理においては、ＯＰＣエラー発生直後のエラー表示方法として、上記（１）〜（４）のエラー表示方法（初期状態としてのエラー表示態様）のうち、上記（４）のエラー表示方法を採用するとしているが、本発明はこれに限定されることなく、上記（１）〜（４）のエラー表示方法（初期状態としてのエラー表示態様）のうち、何れのエラー表示方法を採用するようにしてもよい。
【０２８２】
この場合、図１７のステップＳ４０１および図１８のステップＳ５０１においては、採用されたエラー表示方法に対応するエラー表示態様となるよう処理が実施される。
【０２８３】
以上説明したように、画像形成システム１においては、ユーザが画像入力装置１００を用いて原稿のコピー処理操作を行うことにより、画像出力装置２００が、原稿に対応する画像データ（印刷データ）に基づく印刷処理を実施するものの、原稿入力装置１００において、全ての原稿に対応するコピー処理が終了する前にＯＰＣエラーが発生したとする。この場合、ＯＰＣエラーはＡＤＦジャム（自動原稿送り装置での原稿ジャム）であるとする。
【０２８４】
そして、画像入力装置１００および画像出力装置２００のそれぞれの初期状態のエラー表示態様は図１５（ｄ）に示すエラー表示態様となる。
【０２８５】
ユーザが、画像入力装置１００を用いて原稿のコピー処理操作を実施した後、印刷先である画像出力装置２００が設置されている場所へ行く。そして、ユーザが画像出力装置２００の操作／表示部２６０の表示部２６１に表示されているガイダンスを参照して、画像入力装置１００にＯＰＣエラーが発生していることを認識し、その後、操作／表示部２６０の操作部２６３の何れかのボタンを押下する。
【０２８６】
これにより、図１５（ｄ）に示すエラー表示態様は、図１６（ａ）に示すエラー表示態様に変更される。
【０２８７】
なお、ユーザは、画像入力装置１００のＯＰＣエラーを解除するべく、画像入力装置１００が設置されている場所へ行くことになる。
【０２８８】
ユーザが、ＯＰＣエラーを発生している画像入力装置１００において、ＯＰＣエラーの内容を再確認するために操作／表示部１６０の操作部１６３の何れかのボタンを押下すると、図１６（ａ）に示すエラー表示態様は、図１６（ｃ）に示すエラー表示態様に変更される。
【０２８９】
次に、ユーザが、ＯＰＣエラー（ＡＤＦジャム）を解除するべく、ＡＤＦ（図示しない）にかかわるカバーオープンなどの操作（ユーザ介入）を行うと、図１６（ｃ）に示すエラー表示態様は、図１６（ａ）に示すエラー表示態様に変更される。
【０２９０】
そして、ユーザが、ＡＤＦジャムとなっている原稿を取り除くことで、ＯＰＣエラーが解除されると、図１６（ａ）に示すエラー表示態様は、図１６（ｄ）に示すエラー表示態様に変更される。
【０２９１】
なお、ユーザがＯＰＣエラーを解除するために画像入力装置１００へ行ったときに、ＯＰＣエラーの内容を再確認しないで（図１５（ｄ）に示すエラー表示態様においてＯＰＣエラーの内容を認識しているので）、ＯＰＣエラーを解除するようにした場合には、エラー表示態様は、図１５（ｄ）に示す内容、図１６（ａ）に示す内容、および図１６（ｄ）に示す内容の順に変更されることとなる。
【０２９２】
以上説明したように、第２の実施の形態では、ＯＰＣエラー発生毎に、ガイダンス表示（エラー情報の表示）に関しては、「操作部の何れかのボタンが押下された場合」、「ＬＥＤ表示切り替え時間が経過した場合」、「ユーザ介入された場合」の何れかの事象が発生したときに、ガイダンス表示（エラー情報の表示）をオフ（表示部への電力供給をオフ）して、ＬＥＤ表示（エラー発生している旨の報知）へ切り替える。
【０２９３】
すなわち、操作／表示部の表示部においては、電力供給がオフされるのでガイダンスが表示されたままの状態が防止される。これにより、当該表示部は、無駄な電力消費が抑制され、結果的に、寿命が短くなってしまうことが抑制される。
【０２９４】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【０２９５】
本発明は、印刷機能、複写機能、スキャン機能など複数の画像形成機能を有する画像形成装置（いわゆる複合機）に適用することができる。
【０２９６】
また、本発明は、複数の上記画像形成装置（複合機）が通信回線を介して接続される画像形成システムに適用することができる。
【符号の説明】
【０２９７】
１  画像形成システム
１００  画像入力装置
１０１，２０１  ＣＰＵ
１０２，２０２  記憶装置
１０２Ａ，２０２Ａ  処理プログラム
１０３，２０３  ＲＯＭ
１０４，２０４  ＲＡＭ
１０５，２０５  操作パネル
１０６  スキャナ
１０７，２０７  通信Ｉ／Ｆ
１１０，２１０  通信部
１２０，２２０  制御部
１３０  画像読取部
１４０  画像解析部
１５０，２３０  記憶部
１６０，２６０  操作／表示部
１６１，２６１  表示部
１６２，２６２  報知部
１６３，２６３  操作部
２００  画像出力装置
２０６  プリンタエンジン
２４０  画像処理部
２５０  印刷処理部
３００  通信回線
【図１】
2010193077.tif 000003
【図２】
2010193077.tif 000004
【図３】
2010193077.tif 000005
【図４】
2010193077.tif 000006
【図５】
2010193077.tif 000007
【図６】
2010193077.tif 000008
【図７】
2010193077.tif 000009
【図８】
2010193077.tif 000010
【図９】
2010193077.tif 000011
【図１０】
2010193077.tif 000012
【図１１】
2010193077.tif 000013
【図１２】
2010193077.tif 000014
【図１３】
2010193077.tif 000015
【図１４】
2010193077.tif 000016
【図１５】
2010193077.tif 000017
【図１６】
2010193077.tif 000018
【図１７】
2010193077.tif 000019
【図１８】
2010193077.tif 000020